(57)【特許請求の範囲】
【請求項１】
電子銃あるいは試料から、放出あるいは反射あるいは透過されたスピン偏極した電子線を任意の方向に回転させるスピン回転装置において、
前記電子銃から放出、あるいは試料から放出または反射されたスピン偏極した電子線をフォーカスさせる第１のコンデンサレンズと、
前記第１のコンデンサレンズで前記電子線がフォーカスされた点がレンズ中心あるいはレンズ中心付近であって、かつ電場および磁場を発生可能な、４を除く４の整数倍の極からなる多極子を有するスピン回転器と、
前記スピン回転器を構成する多極子に、指定された角度だけ前記電子線のスピンを回転させかつ電子線を直進させるウィーン条件を満たす下式で表される電圧および電流を発生する電圧・電流発生手段と、
前記スピン回転器でスピンの回転された電子線をフォーカスする第２のコンデンサレンズと
を備えたことを特徴とするスピン回転装置。
Ｖ１（ｎ）＝Ｖ１Ｃｏｓ（θ０＋ｎθ＋α）
Ｎ１（ｎ）＝Ｎ１Ｓｉｎ（θ０＋ｎθ＋α）
ここで、ｎは極の番号、Ｖ１（ｎ）とＮ１（ｎ）はｎ番目の極の電圧と電流、Ｖ１とＮ１はウィーン条件を満たす一様場の電圧と電流、θ０は１番目の極の水平方向からの角度、θは多極子の数によって決まる角度であって３６０°／極数、αはスピンの回転角度をそれぞれ表す。
【請求項２】
前記多極子に、非点を補正する４極子の電場または磁場のうちの１つ以上を供給したことを特徴とする請求項１記載のスピン回転装置。
【請求項３】
前記多極子を構成する磁場の極を、内側と外側に分離してその間に耐真空用の隔壁を設けて外側の極にコイルを巻いたことを特徴とする請求項１から請求項２のいずれか１に記載のスピン回転装置。
【請求項４】
前記耐真空用の隔壁の内側の極の長さを、電子線が通過する中心部の円の直径の４倍以上の長さにして、電極と磁極との形状違いによるウィーン条件の違いを低減したことを特徴とする請求項３に記載のスピン回転装置。
【請求項５】
前記電子線のスピンの回転角度を、当該電子線の進行方向Ｚと直角方向のＸＹ面に偏向、およびＸＹ面内で任意の向きに偏向することを特徴する請求項１から請求項４のいずれか１に記載のスピン回転装置。
【請求項６】
前記試料を、磁性体試料あるいはトポロジカル絶縁体としたことを特徴とする請求項１から請求項５のいずれか１に記載のスピン回転装置。
【発明の詳細な説明】
【技術分野】
【０００１】
本発明は、スピン偏極した電子を放出する電子銃から出た電子や、磁性体試料からのスピン偏極した反射電子、トポロジカル絶縁体表面から放出されたスピン偏極した電子などをモット検出器にスピンの方向を合わせて入力するため、あるいは磁性体の磁区構造観察のために磁性体の磁化方向に電子のスピンの向きを合わせるためなどに使用するスピン回転装置に関するものである。
【背景技術】
【０００２】
従来、スピン回転器は電子の進行方向をＺ軸としたとき、Ｚ軸を含む面内での回転を行わせる機構と、これに垂直なＸＹ面内での回転を行う機構との２種類が必要である。後者については、試料又は検出器を機械的に回転する機構を設ける場合もあるが、電磁的に行う方法としては、非特許文献１に記載されたＤｕｄｅｎらによる軸対称磁場レンズによる方法が最も一般的である。
【０００３】
以下、図１２から図１６の従来技術の説明図をもとに詳細に説明する。
【０００４】
図１２にこのようなスピン回転器の断面図に磁気ポテンシャル分布を書き込んだ図と、そこに入射した電子ビームの軌道を後段のコンデンサレンズ系（ＣＬ２，ＣＬ３）と共に示した。
【０００５】
また、Ｚ軸を含む面内でのスピン回転器としては、これも先ほどのＤｕｄｅｎらの論文にあるような９０°の電場偏向器と磁場偏向器を重畳した装置がある。図１３（ａ）に同じような原理による９０°偏向型スピン回転機構をその前後のラウンドレンズ系と共に示した。スピンの向きが電子の進行方向と同じである場合、電場のみで９０°偏向を行わせれば、図１３（ｂ）に示すように、出てきたビームのスピンの向きは変化しないが電子の進行方向は９０°回転しているので、スピンの向きは電子の進行方向と９０°の傾きを持つことになる。磁場のみで９０°偏向させれば、図１３（ｃ）に示すように、スピンは電子の回転と共に回転するので、９０°偏向後もスピンの向きと電子の進行方向は同じである。電場と磁場を同時にかけて合わせて９０°回転を実現すれば、スピンの向きは０°と９０°の中間の値にとることができる。
【０００６】
上の装置の場合は電子ビームを常に９０°回転しなければならないが、装置によってはこれが不都合な場合もある。あくまでも電子の進行方向は直線を保ったまま、スピンだけを回転したい場合もある。このような要求に対しては、非特許文献２に掲載したようにウィーン（Ｗｉｅｎ）フイルタを用いる方法が知られている。
【０００７】
図１４にウィーンフィルタ式のスピン回転器の一例と、それをラウンドレンズではさんで、ウィーンフィルタの電場・磁場をオフにした場合と、スピンを９０°回転する条件にした場合の電子の軌道をシミュレーションした例を示した。
【０００８】
ウィーンフィルタは９０°偏向型のスピン回転器と原理的には同じで、やはり電場と磁場を重畳して加えているのであるが、電場による電子の偏向方向と磁場によるそれが逆向きになるように電圧と電流の向きが設定されている点が異なっている。９０°偏向型では、両者の偏向が同じ向きになるように設定されている。
【０００９】
ウィーンフィルタでは、電場と磁場による偏向の向きが反対であると同時に、電場による偏向の大きさと磁場による偏向の大きさが常に同じになるように電場と磁場の大きさを設定してあり、その結果としてビームは直進する。このビーム直進の条件をウィーン条件と呼び、Ｅ１＝ｖＢｌとあらわされる。Ｅｌ，Ｂ１とｖはそれぞれ一様電場、一様磁場の大きさと電子の速度である。スピンは磁場によってだけ回転し、その大きさは、
ラーモア歳差運動の周波数    ω＝ｅＢ／ｍ
回転角度  α＝Ｌω／ｖ＝ＬｅＢ１／ｍｖ      Ｌ：フィルタ長
ここで、ウィーン条件  Ｅ１＝ｖＢ１  と速度の２乗  ｖ2＝３ｅＵｏ／ｍを代入すると、
α＝ＬＥ１／２Ｕｏで表される。
【００１０】
電場の値Ｅ１をそれを作る電極電圧Ｖ１に変換すると、
Ｖ１＝Ｅ１Ｒ      Ｒ：中心の丸穴の半径
α＝π／２（９０°）、Ｕｏ＝２０，０００Ｖ、  Ｒ＝５ｍｍ、  Ｌ＝８０ｍｍとして、
Ｖ１＝２ｘ２０，０００ｘ５π／２ｘ８０＝３９２６．６９Ｖ
と求まる。磁場は先に示したウィーン条件から求められる。
【００１１】
ここで、ウィーンフィルタを使用した場合には電場と磁場の大きさは電子ビームを直進させるために常にウィーン条件を満たす関係に置いておかなければならない。このため、いろいろなスピン回転角に調整するためには、９０°偏向器のように電場・磁場を合わせて一定の値にするということができない。磁場の値の調整によってスピン回転角が決まることになる。そこで、図１４に示すようにウィーンフィルタの中心にビームがフォーカスするようにウィーンフィルタの前段のレンズ条件を設定しておく。このようにすると、図１３の下の図に示すように、電場・磁場を加えてスピンを回転させた後でも、後段レンズのレンズ条件が大きくは狂わないため、コンデンサレンズ系の再調整が最小限で済み、スピンだけを回転させることができる。
【非特許文献１】T.Duden, E.Bauer, A compact electron-sipin-polarization manipulater, Rev. Sci. Instrum 66(4) 1995, 2861-2864.
【非特許文献２】T. Kohashi, M. Konoto, K. Kike J-Electorn Microscopy 59(1)(2010)43-52.
【非特許文献３】T.T.tang, Optik 74(1986) 51-56.
【発明の開示】
【発明が解決しようとする課題】
【００１２】
上で説明したように、スピンの回転には電子ビームの進行方向Ｚを含む面内の回転と、これと垂直なＸＹ面内の回転の２種類が必要であり、それぞれの場合に電子ビームをそれぞれの機器の中心面上にフォーカスさせるための補助のラウンドレンズを必要とすることで、ラウンドレンズ＋Ｚ軸を含む面内回転器＋ラウンドレンズ＋ＸＹ面内回転器の４種類の光学素子を必要とする。ウィーンフィルタ型回転器を含む場合を図１５に、９０°偏向スピン回転器と磁場型レンズによる面内回転器を備えたスピン回転形を図１６に示す。
【００１３】
これらの機構のほかに、通常のＬＥＥＭで必要とされるコンデンサレンズ系が必要である。このように、電子銃からビームセパレーターを通して試料にまで至る電子ビーム照射系は非常に大がかりなものとなってしまうという大きな問題があった。
【００１４】
このような状況から、スピン回転器をもっと簡略な構造にし、照射系全体をコンパクトにすることが求められていた。
【課題を解決するための手段】
【００１５】
本発明は、これらの問題を解決するために、電子銃あるいは試料から放出あるいは反射されたスピン偏極した電子線を任意の方向に回転させるスピン回転装置において、電子銃から放出、あるいは試料から放出または反射されたスピン偏極した電子線をフォーカスさせる第１のコンデンサレンズと、第１のコンデンサレンズで電子線がフォーカスされた点がレンズ中心であって、かつ電場および磁場を発生可能な多極子を有するスピン回転器と、スピン回転器を構成する多極子に、指定された角度だけ電子線のスピンを回転させかつ電子線を直進させるウィーン条件を満たす下式で表される電圧および電流を印加するウィーン条件発生手段と、スピン回転器でスピンの回転された電子線をフォーカスする第２のコンデンサレンズとを備えるようにしている。
【００１６】
Ｖ１（ｎ）＝Ｖ１Ｃｏｓ（θ０＋ｎθ＋α）
Ｎ１（ｎ）＝Ｎ１Ｓｉｎ（θ０＋ｎθ＋α）
ここで、ｎは極の番号、Ｖ１（ｎ）とＮ１（ｎ）はｎ番目の極の電圧と電流、Ｖ１とＮ１はウィーン条件を満たす一様場の電圧と電流、θ０は１番目の極の水平方向からの角度、θは多極子の数によって決まる角度であって３６０°／極数、αはスピンの向きをそれぞれ表す。
【００１７】
この際、多極子が４の整数倍となるようにしている。
【００１８】
また、多極子に、非点を補正する４極子の電場および磁場のうちの１つ以上を供給するようにしている。
【００１９】
また、多極子を構成する磁場の極を、内側と外側に分離してその間に耐真空用の隔壁を設けて外側の極にコイルを巻くようにしている。
【００２０】
また、耐真空用の隔壁の内側の極の長さを、電子線が通過する中心部の円の直径の４倍以上の長さにして、電極と磁極との形状違いによるウィーン条件の違いを低減するようにしている。
【００２１】
また、電子線のスピンの向きを、電子線の進行方向Ｚと直角方向のＸＹ面に偏向、およびＸＹ面内で任意の向きに偏向するようにしている。
【００２２】
また、試料を、磁性体試料あるいはトポロジカル絶縁体とするようにしている。
【発明の効果】
【００２３】
本発明は、第１のコンデンサレンズ、電場および磁場を発生可能な多極子を有するスピン回転器、ウィーン条件発生手段、および第２のコンデンサレンズを備えて電子線の方向を直進させかつスピンを指定された角度に回転させることにより、簡略な構造で電子線を直進させかつスピンを任意の方向に回転させる装置の実現が可能となる。
【発明を実施するための最良の形態】
【００２４】
ここで、ウィーンフィルタには従来の図示外の電磁石の間に電極を挿入した型のものが古くから用いられてきたが、その場合には、フリンジ部分での電場と磁場の分布が同じ形にならないため、中心部でウィーン条件を満足するように電圧と電流を調整してもフリンジ部分でウィーン条件からのはずれがどうしても起こることから、両方の場の分布を同じにすることのできるウィーンフィルタとして導電性の磁性体を用いた８極ないしは１２極子を用いた多極子ウィーンフィルタが１９８６年に提案されていた（非特許文献３）。
【００２５】
多極子の場合には、電場を作る電極と、磁場を作る磁極が同じ８ないし１２極のＸ軸方向にあるものが電極として用いられ、Ｙ軸方向にある極が磁極として用いられるため、電場と磁場のフリンジ場の分布が同−に近くなる。対角線方向の場は電極・磁極の両方を兼ねて用いられる。
【００２６】
図１は、本発明のウィーンフィルタ例を示す。
【００２７】
図１（ａ）に１２極子ウィーンフィルタの全体を示した。中心部の１２個のくさび状のものが１２極子の極（電極かつ磁極）１であり、その外側に真空容器２が置かれ、さらに外側を磁場のための磁極３と当該磁極間を磁気的につなぐヨーク４とで構成されており、１２個の各々の磁極３に図示外のコイルが巻かれる構造となっている。
【００２８】
図１（ｂ）には８極子ウィーンフィルタを示した。この場合には、図示外のコイルは真空の内部の極１にそれぞれ巻かれることになる。このときそれぞれの極１のくさび型の外周近くで切り込んで、コイルを巻くスペースを大きくとる場合もある。このような多極子ウィーンフィルタをＺ軸を含む面内のスピン回転子として用いた場合には、スピンの倒れる方向は電場として利用されるＸ軸方向となる。尚、スピンを偏向させる電子線は、中央の軸を紙面に直角方向（Ｚ軸）に直進する。また、図１の（ｂ）で、図示の真空容器２はヨーク（複数の極１のヨーク）とし、図示外の真空容器内に当該ヨーク２を収納するようにしてもよい。
【００２９】
図２は、本発明のスピン回転説明図を示す。図示のスピン回転器は、図１の構成を持つ１２極子のフィーンフィルタであって、左側から入射したＺ軸方向（電子線の進行方向）を向いたスピンが、ウィーンフィルタを出たときにＸＹ面（Ｚ軸に直角方向の面）内で一方は上向き（図２（ａ）参照）、他方は横向き（図２（ｂ）参照）になるように調整（磁場と電場とを調整）した場合のウィーンフィルタ内でのスピンの回転の様子を模式的にそれぞれ示す。
【００３０】
［スピン回転の方法］
次に、説明を簡単にするために、図１の（ｂ）の８極のウィーンフィルタを用いた場合について以下説明する。電場を発生させる電極となるのは図１（ｂ）において左側が４と５、右側が１と８であるが、今仮に４と５の代わりに５と６を用い、１と８の代わりに１と２極を電極として用い、磁極として２と３の代わりに３と４、６と７の代わりに７と８を用いたとすれば最初と比べて４５°反時計回りに回転した方向がＸ軸即ち電場方向となり、このウィーンフィルタを使ってスピンを回転させれば、スピンの倒れる方向は面内で４５°の方向となる。同じことは次の極を使えばさらに４５°回転した方向に倒すことができ、結果として９０°方向にスピンを倒すことができる。
【００３１】
こうして、極のある方向にスピンを倒すことができることはわかるが、図１（ｂ）の８極では４５°ステップ、図１（ａ）および図２の１２極を使えば３０°スチップでしかスピンを回転できないようにみえる。
【００３２】
しかし、本発明ではあらゆる角度にスピンを回転することができてそれは、８極子又は１２極子（更に、その４極の整数倍）に次のようにして加える電圧、電流を調整すればよい。即ち、図１（ｂ）の１〜８極のそれぞれをｎ（即ちｎ＝１，２，３・・・８）と置けば、
Ｖ１（ｎ）＝Ｖ１Ｃｏｓ（θ０＋ｎθ＋α）
Ｎ１（ｎ）＝Ｎ１Ｓｉｎ（θ０＋ｎθ＋α）
ここで、θ０は図１（ｂ）のような８極子の場合は、２２．５°で、θは４５°、ｎは１〜８となる。αは、回転させたい角度である。電極１を図１（ｂ）のように水平方向から外して置いた場合は、θ０が零でない値をとるが、電極１を水平に置いた場合は、θ０＝０なる。αが零の時に回転のない普通の場合の電庄配置になる。
【００３３】
図３は、本発明のスピン回転説明図（その２）を示す。この図３は、１２極子の場合であって、０°方向（θ＝０°）の場合と、２０°方向（θ＝２０°）の場合とについて計算で求めた各極に与える電圧値を示す。ここで、Ｖｏ＝１００Ｖとした場合に、各極１から１２にそれぞれ印加する、電圧例を示す。
【００３４】
尚、８極フィルタの場合には、２，３、６、７の極は１、４，５，８極の電圧に対して、（√２−１）にすることが知られている。これをＸ方向とする。同じ値をＹ方向に与えた場合は９０°回転した場合に相当する。ＸとＹを足し合わせるとＸとＹのベクトル合成の方向、即ち４５°方向に場が向くことになる。
【００３５】
図４は、本発明のスピン回転説明図（その３）を示す。図４において、Ｓｉｎ，Ｃｏｓ法（サインコサイン法）でＸ方向即ち０°方向と、ここから４５°回転させた場合と、上に説明したベクトル合成法で、Ｘ方向とＹ方向および両方向を足し合わせて４５°方向とした場合と、その値を√２で割った値を示してある。Ｓｉｎ，Ｃｏｓ法では０°と４５°の場合が一段ずれているだけであるが、ベクトル法の場合も両者を足し合わせた値を√２で割ると、Ｘ方向の値を一段ずらせたものと一致することがわかる。ＸとＹの割合を変えれば４５°ではなく別の角度にすることもできる。このようなベクトル和によって一様場の向きを変える方法は、昔から偏向場を作るときに利用されていた。
【００３６】
このようにスピン回転方向の設定は、サインコサイン法であれ、ベクトル和法であれいずれの方法によっても設定することができる。
【００３７】
図５は、本発明のスピン回転説明図（その４）を示す。この図５は、本発明の電場と磁場の向きの例を示し、１２極子の場合について０°、２０°、４０°スピン回転を行わせるために、電場と磁場の向きを回転させる場合を示す。このように極の間隔よりも小さな角度の回転も問題なく行うことができる。多極子ウィーンフィルタを用いることによって、加える電場と磁場の方向を回転すれば、スピンを倒す方向を電場の回転角と等しい角度だけ回転させ、かつ後述するように直進させることができる。
【００３８】
次に、９０°偏向器の場合は、光軸に平行な方向を向いたスピンは電場のみによってビームを９０°偏向すれば光軸と垂直方向を向くようになることは明らかであるが、ウィーンフィルタの場合は先に示したラーモア歳差運動による式から求めることができるが、ビームのフォーカスとの関係は、次のように理解される。
【００３９】
ウィーンフィルタではビームが直進すると言っても磁場による回転運動を電場によって振り戻しているだけであるから、磁場による偏向角度とビームのフォーカス条件の間の関係によって推定することができる。Ｘ方向へのフォーカスだけをしてＹ方向フォーカスのない一方向フォーカスの条件での磁場偏向器のフォーカスに必要な回転角度は１８０°であることが知られている。したがって、ウィーンフィルタにビームを平行入射してフィルタの出口でフォーカスするようにアンペアターンを調整すれば、これがスピンを９０°回転できる条件であることがわかる。
【００４０】
［一様場ウィンフィルタの問題点と４極場の付加］
これまでは一様電場Ｅｌと一様磁場Ｂｌによるウィーンフィルタを使った場合を示した。この場合の電子軌道をＸＺ面とＹＺ面について描いてみるとそれぞれ図６（ａ）、（ｂ）のようになる。ウィーンフィルタがオフのときには、ウィーンフィルタの中心面上でフォーカスするように外部のレンズ系によってコントロールされているものとする。ここで、ＸＺ面ではウィーンフィルタのレンズ作用により、フォーカス位置はフィルタ中心から左に移動しているが、図６（ｂ）に示すＺＹ面ではＹ方向（磁場方向）にレンズ作用がないためフィルタをオフにしたときと同じ軌道を示している。つまり、Ｘ方向とＹ方向とでレンズ条件が異なることになる。図６で見る限りこの影響はそれほど深刻には見えないかもしれないが、図７に示すビーム形状を見るとフォーカスの違いは深刻であることがわかる。図７（ａ）はフィルタを出た後のＺ＝８０ｍｍと、図７（ｂ）はフィルタの中心Ｚ＝０ｍｍでのビーム形状を示している。フィルタを出た後の形は楕円形であり、Ｚ＝０では、フィルタがない場合はＹ方向では０になるようにビームを入射させているので、そのままほとんど０になっている。このように強い非点を有するビームとなってしまっては、試料に照射するための照射光学系としては使いにくくなってしまうので後の光学系でこの非点を取り除かなければならない。
【００４１】
そこで、ウィーンフィルタそのものに４極子電場をくわえて、Ｙ方向にフォーカス作用を持たせ非点のないビームを作る方法を次に示す。以下の式は、非点のないビームを作るための４極子電場を求めるための計算式であり、合わせて一様場を求める式もー緒に記してある。Ｖ（ｎ）＝Ｖｌ（ｎ）＋Ｖ２（ｎ）、Ｎｉ（ｎ）がそれぞれｎ番目の極に与える電圧と電流かけるコイル巻き数を表している。
【００４２】
Ｅ２＝−Ｅｌ／４Ｒ              （１）
Ｒ＝Ｌ／（２）1/2π             （２）
Ｅｌ＝（２）3/2  πＵ０／Ｌ     （３）
Ｅ２＝π2Ｕ０／Ｌ2              （４）
Ｖｌ＝ｒＥ１                    （５）
Ｖ２＝ｒ2Ｅ２                   （６）
Ｖ（ｎ）＝Ｖ１（ｎ）＋Ｖ２（ｎ）          （７）
Ｖ１（ｎ）＝Ｖ１Ｃｏｓ（θ＋α）          （８）
Ｖ２（ｎ）＝Ｖ２Ｃｏｓ（２（θ＋α））    （９）
Ｅ２＝２（１＋ｌ／（２）1/2  ）πＵ０／Ｌ （１０）
Ｂｌ＝Ｅｌ／ｖ                            （１１）
ＮＴ＝Ｃ１Ｂ１ｓ／（μπ）．              （１２）
ＮＴ（ｎ）＝ＮＴＳｉｎ（θ＋α）          （１３）
このようにして４極子電場を重畳することによって、Ｙ方向にフォーカスを作り、スピン回転器を出るビームの非点を取り去ることができる。図８（ａ）にＺ＝８０ｍｍと図８（ｂ）にＺ＝０でのビーム形状を示す。また、図９には、ＺＸ面とＺＹ面の電子軌道を示す。ただし、この場合、実際には
Ｖ（ｎ）＝Ｖｌ（ｎ）＋ＣＶ２（ｎ）
として、係数Ｃを掛けた値を入れてある。図８の場合、Ｃ＝０．８７５であった。なぜ、計算値より加える４極場の値が少なくてよいかという理由は、フリンジ場の作用にある。
【００４３】
上の説明では、一様場を用いた場合、Ｙ方向のフォーカスがないと述べたが、実際には少しだけフォーカス作用がある。それはフリンジ場の作用で、フリンジ場はラウンドレンズ作用を持つことが知られている。このため、Ｙ方向には１２．５％分のレンズ作用がすでにあったということである。実際、フィルタ長を短くするほど、割合としてラウンドレンズの作用が大きくなるので、この係数の値は小さくなる。
【００４４】
図１０は、本発明のスピーン回転説明図（その９）を示す。この図１０は、ウィーン型全方位スピン回転器の前段の入射用レンズ（回転器の中心（レンズ中心）にフォーカスさせるレンズ）と後段のコンデンサレンズ（回転器の中心（レンズ中心）を試料などの被照射面にフォーカスさせるレンズ）を含む照射レンズ系を示す。ここでは後段のコンデンサレンズは一段しか示していないが、もう一段追加すれば幅広い照射面積をコントロールできる照射レンズ系にすることができる。
【００４５】
４極子電場を加えて非点なしフォーカスを行った場合にはＹ方向にフォーカス作用を持たせるために４極子電場を加えるのであるが、４極子はフォーカスする方向（Ｙ）と逆方向（Ｘ）には発散作用がある。このため上に示した式からわかるように、フォーカスアンペアターンは√（２）倍に増大する。この場合スピン回転角にどのような影響があるだろうか。磁場偏向器の場合、非点なしフォーカスをする回転角は２５４°に増加する。従って、スピンを９０°回転させる条件を見つけるには、４極子電場を付加していない時の平行ビーム入射でフォーカスさせる条件を探さなければならない。
【００４６】
次に、実際の装置に必要な事柄について説明する。
【００４７】
［超高真空対策］
図１１は、本発明のスピン回転説明図（その１０）を示す。この図１１は、本発明のウィーンフィルタの例である。スピン回転器として使用するウィーンフィルタは超高真空中で使われることが多いため、図１で説明したように、磁場発生のためのコイルを真空の外に出すことが求められる。図１１に示した例では各極を２つに分割し、内側と外側の極の間に真空容器２としてのパイプ（非磁性）を入れる構造としている。もちろん、内側の各極１と真空パイプの間には絶縁体を置いて、内側の各極１が電気的には絶縁されている必要がある。ただ、この構造の欠点は、真空容器が金属製となるため、多極子電場は真空容器より内側だけの構成となるのに対し、磁場コイルは真空パイプの外の極３に巻かれるので、多極子磁場は真空容器の外にまで伸びており、電場と磁場を構成する各極の長さが異なることである。しかし、真空容器が電場・磁場を作る空間・ギャップの直径の４倍以上を取ればこの電極と磁極の長さの違いは実用的には問題とならないことを見出した。
【００４８】
図６（ａ）、図９（ａ）は、ＸＺ面の電子軌道を示す図であるが、電極と磁極の形の違いによって、ウィーン条件が成立しなくなった場合には、この軌道が途中で折れ曲がってまっすぐな光軸を構成しなくなるのであるが、ここに示したように、光軸はまっすぐなままなので、電極と磁極の長さの違いの問題は克服されていることが判明した。
【００４９】
［初期状態でスピンの向きがビーム進行方向に垂直な面内の場合］
今まではスピンの向きが電子ビームの進行方向Ｚに対して平行なビームを９０°偏向し、その時にビーム進行方向に垂直なＸＹ面内のどの方向にスピンを倒すかを自由に選ぶことのできる装置について述べてきた。
【００５０】
しかしながら、真空中にスピン偏極した電子を放出するのはこのような場合に限られるのではなく、ＸＹ面内の特定の方向を向いたビームが放出される場合もある。このような場合に、スピンの向きがＺ方向を向くように回転させることは、上で述べた方法で９０°偏向を行わせるだけでよい。このときはＸＹ面内での角度を気にすることは必要ないので、ＸＹ面の角度の指定はいかなる値でも良い。
【００５１】
ここでは、ＸＹ面内をスピンが向いている場合に、最初のスピンの向きと異なる向きにＸＹ面内で回転させたい場合について考えてみよう。この場合は、上で述べたスピンの９０°回転の電場・磁場の値に対してその倍の値即ち、１８０°スピンを回転させるように設定する。ＸＹ面内でのスピンの角度は最終的に向けたい角度の場合に対応するようにそれぞれの８極子の電場・磁場を設定する。このようにすると、スピンは最初の半分で９０°回転してＺ方向を向く。あとの半分は上で述べたＺ方向からＺＹ面内にスピンが再び向くが、このときのＸＹ面内での角度が指定した角度方向を向くことになる。
【００５２】
このように、最初にスピンの向きがＺ方向の場合は９０°回転、最初がＸＹ面内の場合は１８０°回転の設定をすることによって、両者の場合に対応させることが出来る。もちろん、途中の角度の場合はそれらの中間の値に設定すればよいので、どのような方向を向いたスピンにも対応させることが出来る。
【図面の簡単な説明】
【００５３】
【図１】本発明のウィーンフィルタ例である。
【図２】本発明のスピン回転説明図（その１）である。
【図３】本発明のスピン回転説明図（その２）である。
【図４】本発明のスピン回転説明図（その３）である。
【図５】本発明のスピン回転説明図（その４）である。
【図６】本発明のスピン回転説明図（その５）である。
【図７】本発明のスピン回転説明図（その６）である。
【図８】本発明のスピン回転説明図（その７）である。
【図９】本発明のスピン回転説明図（その８）である。
【図１０】本発明のスピン回転説明図（その９）である。
【図１１】本発明のスピン回転説明図（その１０）である。
【図１２】従来技術の説明図（その１）である。
【図１３】従来技術の説明図（その２）である。
【図１４】従来技術の説明図（その３）である。
【図１５】従来技術の説明図（その４）である。
【図１６】従来技術の説明図（その５）である。
【符号の説明】
【００５４】
１：極（電極／磁極）
２：真空容器（ヨーク）
３：磁極
４：ヨーク
【図１】
0005826529.tif 000002
【図２】
0005826529.tif 000003
【図３】
0005826529.tif 000004
【図４】
0005826529.tif 000005
【図５】
0005826529.tif 000006
【図６】
0005826529.tif 000007
【図７】
0005826529.tif 000008
【図８】
0005826529.tif 000009
【図９】
0005826529.tif 000010
【図１０】
0005826529.tif 000011
【図１１】
0005826529.tif 000012
【図１２】
0005826529.tif 000013
【図１３】
0005826529.tif 000014
【図１４】
0005826529.tif 000015
【図１５】
0005826529.tif 000016
【図１６】
0005826529.tif 000017